(57)【特許請求の範囲】
【請求項１】
下端部が地中に埋設されて設置される柱状本体部と、
前記柱状本体部の上端部に設けた発光装置とを備え、前記柱状本体部の上端部を照光させる照光杭であって、
前記発光装置は前記柱状本体部の上端部に取り付けられた取付体と、
前記取付体に固定されて、外部電源または電池からの給電によって上側に発光するＬＥＤ発光体を有した基板と、
前記取付体の上側に設けた透光性材質よりなる上下が開口した筒形透光部と、
前記筒形透光部の上側に設けられて、前記筒形透光部の上側に前記ＬＥＤ発光体の光を導く上下が開口した筒形導光部と、
前記筒形導光部の上面開口を塞ぐように取り付けられ、前記ＬＥＤ発光体により照射された光の一部を上側に透光させるとともに一部を下側に拡散反射させる半透過拡散反射板とを備え、
前記ＬＥＤ発光体により照射された光の一部を前記半透過拡散反射板によって上側に照射させるとともに、前記半透過拡散反射板によって下側に拡散反射させた光を前記筒形透光部から外側に照射させたことを特徴とする照光杭。
【請求項２】
請求項１に記載の照光杭において、
前記半透過拡散反射板は上側から視認可能な表示印を表示可能としたものであり、前記表示印を変更可能とするために前記半透過拡散反射板を前記筒形導光部に着脱可能に取り付けるようにしたことを特徴とする照光杭。
【請求項３】
請求項１または２に記載の照光杭において、
前記柱状本体部内には前記電池を前記取付体の下側に固定した状態で収容するようにしたことを特徴とする照光杭。
【発明の詳細な説明】
【技術分野】
【０００１】
本発明は、柱状本体部の上部を照光することで歩行者等の進行方向を案内したり、車道と歩道との間に設置することによって車両等の進入を阻止したりするのに用いる照光杭に関する。
【背景技術】
【０００２】
特許文献１には車止め等に使用する支柱が開示されている。この支柱は、下端部が地中に埋設される状態で設置される支柱本体と、支柱本体の上部に設けた発光ユニットとを備えている。発光ユニットは、支柱本体の上端部に設けた円筒形のカバー部の内側に周方向に等間隔に配置した４つの発光体を備え、これら発光体は反射板によって一定角度の範囲で広がる状態で放光されている。発光ユニットのこれら発光体は支柱本体の上面に設けられた太陽電池からの給電によって発光するようになっている。
【先行技術文献】
【特許文献】
【０００３】
【特許文献１】特開２００５−２０７０２４号公報
【発明の概要】
【発明が解決しようとする課題】
【０００４】
上記のように構成した支柱においては、発光ユニットの発光体は支柱本体の上面に設けられた太陽電池からの給電によって発光するようになっているので、日陰、トンネル等の暗所以外の設置場所に制限されるだけでなく、支柱の上側を発光させることができないとともに、支柱の上面に歩行者の道順等の案内を表示させることもできなかった。また、支柱本体の上端部に設けた円筒形のカバー部の内側に４つの発光体を配設しているので、発光体に要するコストが高くなる問題があった。本発明は、設置場所を制限されないようにしつつ、コストをできるだけ低廉に抑えるとともに、上側にも発光可能及び案内等の表示可能とした照光杭を提供することを目的とする。
【課題を解決するための手段】
【０００５】
本発明は上記課題を解決するため、下端部が地中に埋設されて設置される柱状本体部と、柱状本体部の上端部に設けた発光装置とを備え、柱状本体部の上端部を照光させる照光杭であって、発光装置は柱状本体部の上端部に取り付けられた取付体と、取付体に固定されて、外部電源または電池からの給電によって上側に発光するＬＥＤ発光体を有した基板と、取付体の上側に設けた透光性材質よりなる上下が開口した筒形透光部と、筒形透光部の上側に設けられて、筒形透光部の上側にＬＥＤ発光体の光を導く上下が開口した筒形導光部と、筒形導光部の上面開口を塞ぐように取り付けられ、ＬＥＤ発光体により照射された光の一部を上側に透光させるとともに一部を下側に拡散反射させる半透過拡散反射板とを備え、ＬＥＤ発光体により照射された光の一部を半透過拡散反射板によって上側に照射させるとともに、半透過拡散反射板によって下側に拡散反射させた光を筒形透光部から外側に照射させたことを特徴とする照光杭を提供するものである。
【０００６】
上記のように構成した照光杭においては、ＬＥＤ発光体の光は上端に設けた半透過拡散反射板から上側に照射されるとともに、半透過拡散反射板によって下側に拡散反射されて上端部の周面の筒形透光部から外側に照射されるので、コストの増加を伴うことなく上側と周面の外側に光を照射することができるようになった。また、ＬＥＤ発光体を外部電源または電池からの給電によって発光させるようにしたので、暗所以外の設置場所にも設置可能とすることができた。
【０００７】
上記のように構成した照光杭においては、半透過拡散反射板は上側から視認可能な表示印を表示可能としたものであり、表示印を変更可能とするために半透過拡散反射板を筒形導光部に着脱可能に取り付けるようにするのが好ましい。このようにしたときには、設置場所に応じた表示印を表示した半透過拡散反射板を照光杭に採用することができるようになった。
【０００８】
上記のように構成した照光杭においては、柱状本体部内には電池を取付体の下側に固定した状態で収容するようにするのが好ましい。このようにしたときには、照光杭を外部電源が供給されない場所にも設置することが可能となった。
【図面の簡単な説明】
【０００９】
【図１】本発明による照光杭の一実施形態を示す正面図である。
【図２】図１の上端部の縦方向断面図である。
【図３】半透過拡散反射板に印字した表示印の参考例を示す図である。
【発明を実施するための形態】
【００１０】
本発明による照光杭の一実施形態を図面を参照して説明する。照光杭１０は、柱状本体部１１の上部を照光することで歩行者等の進行方向を案内したり、車道と歩道との間に設置することによって車両等の進入を阻止したりするのに用いられるものである。図１に示したように、照光杭１０は柱状本体部１１と、柱状本体部１１の上端部に設けた発光装置２０を備えている。柱状本体部１１は設置場所にて下端部が地面に埋設した状態で設置されている。柱状本体部１１は１００〜１２０ｃｍ（これに限られるものでない）のステンレス製の円筒材を用いたものである。なお、柱状本体部１１を地中に設けた円柱状の穴部に着脱可能に差し込むようにしてもよい。
【００１１】
図２に示したように、発光装置２０は、柱状本体部１１の上端部に取り付けられた取付体２１と、電池２２と、ＬＥＤ発光体２３ａ等を有した基板２３とを備えている。取付体２１は電池２２とＬＥＤ発光体２３ａ等を有した基板２３とを柱状本体部１１に固定するためのものである。取付体２１は、上板部２１ａを有した浅い円筒形をしており、柱状本体部１１の内周面上部に後述する筒形透光部２４を介して嵌合して取り付けられている。取付体２１の中央部には下側に垂下する電池取付筒部２１ｂが延出しており、電池取付筒部２１ｂには電池２２が固定されている。電池２２は電池取付筒部２１ｂに固定された状態で柱状本体部１１内の上部に収容されている。取付体２１の上板部２１ａには発光のための基板２３が取り付けられており、基板２３にはＬＥＤ発光体２３ａと、光センサ２３ｂが配設されている。ＬＥＤ発光体２３ａは電池２２の給電によって上側に光を照射するように発光するものである。また、ＬＥＤ発光体２３ａは電池２２の消費を抑制するために５０Ｈｚ以上の速さで点滅を繰り返している。なお、ＬＥＤ発光体２３ａを５０Ｈｚ以上の速さで点滅を繰り返させたときには、人間の視覚では点灯しているように見える。光センサ２３ｂは照光杭１０を設置した場所の明度を検出するものであり、ＬＥＤ発光体２３ａは光センサ２３ｂによって所定の明度以下を検出したときに発光するように制御されている。
【００１２】
また、発光装置２０は、取付体２１の上側に筒形透光部２４と、筒形導光部２５と、半透過拡散反射板２６とを備えている。筒形透光部２４は照光杭１０の上端部の周面から外側に光を透過させて照光させるものである。筒形透光部２４は半透明な樹脂材を略筒形に成形したものであり、光を外側に拡散させて透過させるようになっている。筒形透光部２４の上面には上側に光を導く円形の導光路を有した環状上板部２４ａが形成されている。筒形透光部２４の下端部は柱状本体部１１の内周面と取付体２１の外周面との間に嵌合され、柱状本体部１１の外側から取付体２１とともに柱状本体部１１にねじによって固定されている。筒形透光部２４の外周面の上下方向の中間部及び上部には環状段部２４ｂ，２４ｃが形成されており、下側の環状段部２４ｂは柱状本体部１１の上縁に係合し、上側の環状段部２４ｃは筒形導光部２５の下縁に係合している。
【００１３】
筒形導光部２５は基板２３のＬＥＤ発光体２３ａから上側に照射された光を周面から漏れないようにして上側の半透過拡散反射板２６に導くものであり、筒形透光部２４の上端部の外周に嵌合して取り付けられている。筒形導光部２５はこの実施形態ではロストワックス鋳造による鋳造品である。筒形導光部２５の内周面の下端部及び上端部に環状突起部２５ａ，２５ｂが一体的に成形されている。筒形導光部２５の下端部の環状突起部２５ａと筒形透光部２４の環状上板部２４ａとの間にはゴム製のシール部材（パッキン）２７が介装されている。
【００１４】
筒形導光部２５の上端部の環状突起部２５ｂの上側には円板形をした半透過拡散反射板２６が設けられており、半透過拡散反射板２６は筒形導光部２５の上面を塞ぐように着脱可能に取り付けられている。半透過拡散反射板２６は基板２３のＬＥＤ発光体２３ａの光の一部を上側に透光させるとともに、ＬＥＤ発光体２３ａの光の一部を下側に拡散反射させるものである。半透過拡散反射板２６は下面に塗られた一定の透光性のある塗料によって光の一部を上側に透光させ、光の一部を下側に拡散反射させるようにしたものである。なお、半透過拡散反射板２６を半透明な樹脂材を用いてＬＥＤ発光体２３ａの光の一部を上側に透光させるとともに、ＬＥＤ発光体２３ａの光の一部を下側に拡散反射させるようにしてもよい。半透過拡散反射板２６の外周面には環状溝２６ａが形成されている。この環状溝２６ａにはゴム製のＯリング２８が設けられており、Ｏリング２８は筒形導光部２５の上端部内周面と半透過拡散反射板２６の外周面との間をシールしている。また、半透過拡散反射板２６の下面には印刷機等により種々の表示印Ｓを印字可能とし、表示印Ｓを半透過拡散反射板２６の上側から視認可能としている。図３に示したように、半透過拡散反射板２６に表示する表示印Ｓの一例として、歩行者の進行方向を示す矢印、進路の目的と矢印（例えば「ひなん」と矢印）、意匠的な図柄、キャラクター、施設名、自治体名、企業名等を採用することができる。
【００１５】
上記の実施形態の照光杭１０においては、発光装置２０は柱状本体部１１の上端部に取り付けられた取付体２１と、取付体２１に固定されて、電池２２の給電によって上側に発光するＬＥＤ発光体２３ａを有した基板２３と、取付体２１の上側に設けた透光性材質よりなる上下が開口した筒形透光部２４と、筒形透光部２４の上側に設けられて、筒形透光部２４の上側にＬＥＤ発光体２３ａの光を導く上下が開口した筒形導光部２５と、筒形導光部２５の上面開口を塞ぐように取り付けられ、ＬＥＤ発光体２３ａにより照射された光の一部を上側に透光させるとともに一部を下側に拡散反射させる半透過拡散反射板２６とを備えている。図２の１点鎖線に示したように、この照光杭１０においては、ＬＥＤ発光体２３ａにより照射された光の一部を半透過拡散反射板２６によって上側に照射させるとともに、半透過拡散反射板２６によって下側に拡散反射させた光を筒形透光部２４から外側に照射させている。これにより、コストの増加を伴うことなく照光杭１０の上側と周面上部の外側に光を照射することができるようになった。また、ＬＥＤ発光体２３ａを電池２２からの給電によって発光させるようにしたので、暗所以外の設置場所にも設置可能とすることができた。なお、この実施形態の照光杭１０においては、ＬＥＤ発光体２３ａを電池２２からの給電によって発光させるようにしたが、本発明はこれに限られるものでなく、ＬＥＤ発光体２３ａを外部電源からの給電によって発光させるようにしたものであってもよく、このようにしたときにも上述したのと同様の作用効果を得ることができる。なお、ＬＥＤ発光体２３ａの電源として電池２２を採用したときには、外部電源の供給されない場所にも設置することが可能となる。
【００１６】
また、この照光杭１０においては、半透過拡散反射板２６は上側から視認可能な表示印Ｓを表示可能としたものであり、図３に示したように種々の表示印Ｓを変更可能とするために半透過拡散反射板２６を筒形導光部２５に着脱可能に取り付けるようにした。このようにしたことで、設置場所に応じた表示印Ｓを表示した半透過拡散反射板２６を照光杭１０に採用することができるようになった。
【符号の説明】
【００１７】
１０…照光杭、１１…柱状本体部、２０…発光装置、２１…取付体、２２…電池、２３ａ…ＬＥＤ発光体、２４…筒形透光部、２５…筒形導光部、２６…半透過拡散反射板、Ｓ…表示印。
【図１】
0006532814.tif 000002
【図２】
0006532814.tif 000003
【図３】
0006532814.tif 000004